(57)【要約】【課題】装置の小型化及び薄型化を実現し、かつ挿入されたディスクを安定して確実に挟着することができ、ディスクの記録面の損傷を防止することができる信頼性の高いディスクローディング装置を得ること。【解決手段】ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング方法であって、前記トラバースユニットがディスク待機状態にあるとき、前記ピックアップを前記ディスクの外周方向に配置することを特徴とするディスクローディング方法。【選択図】        図１
2004158194.tif 000002
【特許請求の範囲】
【請求項１】
ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング方法であって、前記トラバースユニットがディスク待機状態にあるとき、前記ピックアップを前記ディスクの外周方向に配置することを特徴とするディスクローディング方法。
【請求項２】
ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング方法であって、前記ディスクの排出時において、前記トラバースユニットを下降する前に、前記ピックアップを前記ディスクの外周方向に移動することを特徴とするディスクローディング方法。
【請求項３】
前記ディスクを載置するためのディスクトレイを用いることなく、前記ディスクを前記フレームの内部に挿入することを特徴とする請求項１または請求項２に記載のディスクローディング方法。
【請求項４】
ボトムカバーとトップカバーで構成されたフレームの内部には、スピンドルモータにより駆動されるターンテーブルと、装着されたディスクの情報を読み込むためのピックアップと、前記ピックアップを前記ディスクの直径方向に移動するためのトラバースユニットとを備え、前記トラバースユニットは、装着された前記ディスクの外縁近傍を中心に所定角度回動するよう構成され、前記トラバースユニットの回動により、前記ターンテーブルが前記ディスクのディスク待機状態と挟着状態との間を移動するディスクローディング装置であって、前記ディスクの挿入時及び排出時において、前記ピックアップを、装着される前記ディスクの外周方向に移動させるよう構成したことを特徴とするディスクローディング装置。
【発明の詳細な説明】
【技術分野】
【０００１】
本発明は、ＣＤ等のディスク状の記録媒体（以下に単にディスクという）に記録再生を行う機能を有するディスクローディング装置に関するものである。
【背景技術】
【０００２】
図７及び図８は、従来のディスクローディング装置を示す側面断面図である。図７はディスク１が従来のディスクローディング装置に挿入されているときの状態を示しており、図８はディスク１が挟着されている状態を示している。図７に示すように、従来のディスクローディング装置において、装置に挿入されたディスク１は、ローラ１８の回動により装置内部に引き込まれる。ローラ１８には挿入されたディスク１の下面を圧接するように付勢手段であるコイルばね２１が設けられている。装置内部に引き込まれたディスク１は、ターンテーブル１９上に配置され、クランパー１６により回転可能に挟着される。ターンテーブル１９はスピンドルモータ３０の回転軸に直結されており、挟着されたディスク１を所望の速度で回転させる。
ディスク１を保持するクランパー１６はクランパーホルダー１７により保持されており、クランパーホルダー１７は回転中心軸２０を中心に所定角度回動するよう構成されている。ディスク１が装置に挿入されるとき、及び排出されるとき、クランパーホルダー１７の回動によりクランパー１６が持ち上がり、ディスク１の挟着状態が解除されるよう構成されている。なお、ディスク１の排出においても、ローラ１８がディスク１の下面に圧接してディスク１を排出方向へ移動している。
上記のように構成された従来のディスクローディング装置において、ディスク１が挿入されるとき、クランパーホルダー１７が回転中心軸２０を支点として回動してクランパー１６を持ち上げ、挿入されたディスク１をローラ１８の回転により引き込み、ターンテーブル１９の上方に配置する。ディスク１がターンテーブル１９の上方に配置されたとき、クランパーホルダー１７とローラ１８によりディスク１を挟持して、一体になってターンテーブル１９上に下降させる。ターンテーブル１９上に載置されたディスク１は、クランパーホルダー１７により下降したクランパー１６により挟着される。ディスク１がターンテーブル１９上で挟着された後、ローラ１８とクランパーホルダー１７は、ディスク１から離れる方向へ移動し、それぞれがディスク１から隙間を有して配置される。
また、ディスクをディスクトレイ上に載置して装着されるディスクローディング装置が開示されている（例えば特許文献１）。特許文献１に開示された従来のディスクローディング装置においては、ディスクトレイ上に載置されたディスクが装置内に挿入されたとき、そのディスクが他の部材と接触することを防止するために、アンローディング状態にはクランパーをターンテーブルから磁気吸着手段により離し、ローディング状態には別の磁気吸着手段によりクランパーをターンテーブル側に吸着しクランパーに設けられた調芯機構によりターンテーブル上のディスクを保持していた。このような構成により、従来のディスクローディング装置においてはアンローディング状態におけるクランパーとターンテーブルとの間にある程度大きな隙間を確保して、ディスクとの接触を防止していた。
【特許文献１】特開平１１−２３８２７８号公報
【発明の開示】
【発明が解決しようとする課題】
【０００３】
従来のディスクローディング装置においては、ディスク１が引き込まれる時や、排出される時に、ディスク１がクランパー１６とターンテーブル１９等に絶対接触しないようターンテーブル１９とクランパー１６との間には、大きな空間である隙間ａ（図７参照）を確保する必要があった。この種のディスクローディング装置において、装置の小型化及び薄型化はこの分野における達成すべき課題であるが、従来のディスクローディング装置において、ターンテーブル１９とクランパー１６との間に大きな空間を形成する必要があるため、装置の小型化及び薄型化にとって大きな問題であった。また、複数の磁気吸着手段を用いて調芯機構等をクランパー部分に設けることは装置の小型化及び薄型化において障害となっていた。
【０００４】
本発明は、上記の問題を解決するためになされたものであり、装置の小型化及び薄型化を実現し、かつ挿入されたディスクを安定して確実に挟着することができ、ディスクの記録面の損傷を防止することができる信頼性の高いディスクローディング装置を得ることを目的とする。
【課題を解決するための手段】
【０００５】
本発明に係るディスクローディング装置は、挿入されたディスクの装置内部への引き込み及び排出を行うディスク搬送手段と、ディスクの挿入方向に対して直交する方向に遊動可能に構成され、挿入されたディスクに当接したときディスク挿入経路から外れるよう構成されたクランパー手段と、挿入されたディスクが載置され、スピンドルモータにより駆動されるターンテーブル手段と、挿入されたディスクの情報を読み込む情報読込み手段と、情報読込み手段をディスクの直径方向に移動させるとともに、前記ターンテーブル手段を移動して前記クランパー手段に押圧するよう構成されたトラバース手段とを具備する。上記のように構成された本発明のディスクローディング装置は、小型化及び薄型化を実現することができる。
他の観点による発明のディスクローディング装置は、前記トラバース手段がトラバースユニットであり、装着されたディスクの外縁近傍に配置された回転軸を中心に回動して、前記ターンテーブル手段を再生待機位置と再生位置との間を移動するよう構成されている。上記のように構成された本発明のディスクローディング装置は、小型化及び薄型化を実現することができるとともに、挿入されたディスクを安定して確実に挟着することができる。
他の観点による発明のディスクローディング装置は、前記ディスク搬送手段が挿入されたディスクに圧接しながら回転して当該ディスクの引き込み動作及び排出動作を行うローラを有し、当該ディスクが再生位置に配置されたとき、前記ターンテーブル手段が前記クランパー手段の方向へ持ち上がり、当該ディスクを挟着するよう構成されている。上記のように構成された本発明のディスクローディング装置は、小型化及び薄型化を実現することができるとともに、ディスクの記録面の損傷を防止することができる。
【発明の効果】
【０００６】
以上、実施例について詳細に説明したところから明らかなように、本発明は次の効果を有する。本発明によれば、クランパー部を遊動可能な固定型とし、このクランパー部に対向するターンテーブルがトラバースユニットを所定角度回動させることにより上下に移動するように構成し、クランパー部をディスク搬送経路に配置可能であるため、装置内部スペースを有効活用して、小型化及び薄型化を達成したディスクローディング装置を得ることができる。本発明のディスクローディング装置においては、クランパー部が所定位置に確実に配置されるよう案内されるため、挿入されたディスクを安定して確実に所定位置で挟着することができ、ディスクの記録面の損傷を防止することができる。
【実施例１】
【０００７】
以下、本発明のディスクローディング装置の好ましい実施例について、添付の図面を参照しつつ説明する。
図１から図３は本発明に係る実施例１のディスクローディング装置の要部を示す側面断面図であり、図１はディスク待機状態、図２はディスクの挿入が行われている途中の状態、図３はディスクが挟着されている状態を示している。実施例１のディスクローディング装置は、ボトムカバー９とトップカバー１３で構成されたフレーム４０の内部に、装着されたディスク１を再生する再生機構が設けられている。トップカバー１３にはクランパーカバー１４が取り付けられており、その内部に上下に移動可能なディスクホルダー７を保持するクランパー部５０が配設されている。フレーム４０の内部には、ディスクホルダー７と対向する位置にスピンドルモータ８により駆動されるターンテーブル４が配置されている。また、フレーム４０の内部には装着されたディスク１の情報を読み込むためのピックアップ１０と、このピックアップ１０をディスク１の直径方向に移動するためのトラバースユニット５が設けられている。このトラバースユニット５はトラバースシャーシ６に保持され、軸６ａを中心に所定角度回動するよう構成されている。トラバースユニット５の回動により、ターンテーブル４はディスク１のディスク待機状態と挟着状態との間を移行する。
図１に示すように、実施例１のディスクローディング装置において、ボトムカバー９とトップカバー１３で構成されたフレーム４０の左側には開口部１７が形成されており、この開口部１７にはディスクフィーダ１６が設けられている。ディスクフィーダ１６は、回転するローラ２を有し、軸１６ａを中心に回動可能に構成されている。
【０００８】
次に、上記のように構成された実施例１のディスクローディング装置の動作について説明する。図１はディスク１が装置に引き込まれる前のディスク待機状態であり、図２はディスク１の引き込まれている途中の状態を示し、図３はディスク１が挟着されている状態を示している。図１に示したディスク待機状態から、ディスク１は引き込まれてその先端１ａが所定の位置（図２において符号Ｓで示す位置）に達したとき、ローラ２が回転を始め、ディスクフィーダ１６は回動（図１の時計方向に所定角度回動）してディスク１に圧接する。このローラ２の回転により、ディスク１はパッド３に押し付けられつつターンテーブル４の方向へ移動し、ディスク１の中心とターンテーブル４の中心が略一致する位置（再生位置）まで送り込まれる。
【０００９】
上記のようにディスク１が所定の位置に到達したとき、電気信号が駆動機構に入力され、その駆動機構によりトラバースユニット５がトラバースシャーシ６の軸６ａを中心に回動する。その結果、ターンテーブル４はディスク１を押圧する方向に移動し、ディスクホルダー７側に付勢される。なお、駆動機構の動作開始に関しては、上記のような電気信号の代わりにディスク１の挿入によりレバーとカム等の機械的な連動動作により行うことも可能である。
【００１０】
図１及び図２に示すように、トラバースユニット５が下方の位置にあるとき、すなわちディスク待機状態及びディスク引き込み途中状態のとき、スピンドルモータ８は、ボトムカバー９と接触しないよう配置され、トラバースユニット５が所定距離の上下動作が可能なように薄く形成されている。また、ディスク１の再生後においてトラバースユニット５がトラバースシャーシ６の軸６ａを中心に回動してディスク１から離れるよう下降したときにも、スピンドルモータ８はボトムカバー９と接触しないよう配設されている。
【００１１】
実施例１において、ピックアップ１０はターンテーブル４が下方の位置にあるとき、すなわちディスク待機状態及びディスク引き込み途中状態において、ボトムカバー９と接触しないようディスク１の外周方向に移動させて、軸６ａの近傍に配置される。また、ディスク１の排出時においては、トラバースユニット５がディスク１の挟着を解除するために下降する前に、ピックアップ１０をディスク１の外周方向に移動させて、ボトムカバー９と接触しないよう構成されている。
【００１２】
上記のように、実施例１においては、クランパー部５０を回動しない構成とし、ターンテーブル４を保持するトラバースユニット５をトラバースシャーシ６の軸６ａを中心に回動して上下に移動するように構成している。そして、ターンテーブル４が下方位置にあるときピックアップ１０をディスク外周方向に移動させるよう構成されているため、実施例１においてはピックアップ１０及びトラバースユニット５を従来の形状のものを用いてディスクローディング装置の薄型化が可能となる。すなわち、ディスクローディング装置の薄型化のために、ピックアップ１０及びトラバースユニット５の薄型化を図る必要はない。また、実施例１においては、ディスク１を挿入する際にディスク１を載置するためのディスクトレイを使用しない構成であるため、ディスク保持機構を薄くすることができ、ディスクローディング装置のさらなる薄型化が可能となる。
【００１３】
次に、本発明に係る実施例１のディスクローディング装置におけるクランパー部について説明する。図４及び図５は実施例１のディスクローディング装置におけるクランパー部５０の要部を示す断面図である。図４はディスク１が引き込まれている途中の状態を示しており、図５はディスク１が挟着された状態を示している。図４において、実施例１のクランパー部５０は、ディスクホルダー７、マグネット１１、マグネットヨーク１２から構成される。マグネット１１及びマグネットヨーク１２は環状に形成されており、マグネット１１はマグネットヨーク１２内にディスクホルダー７と同心円上に接着剤等により固定されている。
【００１４】
なお、実施例１においては、マグネット１１及びマグネットヨーク１２を環状に形成した例で示したが、本発明はこのような構成に限定されるものではなく、マグネット及びマグネットヨークは他の形状、例えば複数のマグネット片をディスクホルダー７を中心として放射状に配置しても良く、このように構成すれば、クランパー部５０を軽量化することが可能となる。
【００１５】
次に、図５を用いて実施例１のディスクローディング装置におけるクランパー部５０を保持するクランパー保持機構について説明する。マグネットヨーク１２、マグネット１１が取り付けられたディスクホルダー７は、クランパー保持部材であるクランパーカバー１４によって上下左右に一定のクリアランスを持ち、回転可能及び上下の遊動可能に保持されている。クランパーカバー１４は、トップカバー１３に固着されており、クランパー部５０がディスク１の挿入によりディスクホルダー７に当接して押し上げられた時、マグネットヨーク１２の中心孔１２ａに嵌合するガイド１４ａをクランパーカバー１４は有している。このガイド１４ａは、クランパー部５０と対向する方向に突出するよう設けられており、ガイド１４ａの中心位置がターンテーブル４の中心位置と略一致するように配置されている。
【００１６】
通常、クランパー部５０はマグネット１１によりクランパーカバー１４に吸着されて持ち上がった状態である。しかし、搬送時の衝撃等により、クランパー部５０の自重によりターンテーブル４側に下降している場合がある。この場合に、ディスク１が引き込まれることにより、ディスク１のディスク端面である先端１ａがディスクホルダー７のテーパー部７ａに当接し、ディスクホルダー７を上方に押し上げる。ディスクホルダー７のテーパー部７ａは、挿入されるディスク１の記録面に対して４５度以下の角度を有して形成されている。ディスク１とテーパー部７ａとの当接により押し上げられたクランパー部５０は、マグネット１１の吸着力により、磁性体であるクランパーカバー１４に吸着される。このとき、クランパーカバー１４のガイド１４ａの突起がマグネットヨーク１２の中心孔１２ａに挿入して、ディスクホルダー７がターンテーブル４に対しセンタリングされる。このように、ディスク１がターンテーブル４上の所定の位置に配置されたとき、クランパー部５０はその自重とマグネット１１の吸着力とによりターンテーブル４側に下降して、ターンテーブル４に吸７
着し、安定したディスク１のチャッキング動作を実現している。
【００１７】
以上のように、実施例１のディスクローディング装置においては、従来の装置において回動するよう設けられていたクランパーホルダーを用いず、上下に遊動するクランパー部５０を有する固定型のクランパー手段を設けて、このクランパー手段に対向するターンテーブル４をトラバースユニット５の回動により上下に移動するよう構成している。このトラバースユニット５は、ターンテーブル４が設けられている位置の反対側の位置、すなわち装着されたディスク１の周縁部分近傍にある軸を中心として回動するよう構成されている。このように構成された実施例１のディスクローディング装置において、ディスク１の引き込み時及び排出時にトラバースユニット５が回動して、スピンドルモータ８を設けたターンテーブル側を上下させて、ディスク待機状態とディスク再生状態の間を移行する。
【００１８】
実施例１において、スピンドルモータ８の厚みはフレーム４０内でトラバースユニット５が上下できるよう薄く形成されており、ディスク引き込み時及びディスク排出時に情報読み込み手段としてのピックアップをトラバースユニット５においてディスク外周方向へ移動させるよう構成されている。また、トラバースユニット５が回動してターンテーブル４が降下している時、通常、クランパー部５０はそのクランパー部５０に内蔵しているマグネット１１によりクランパーカバー１４に吸着されて持ち上がっている。しかし、搬送時の衝撃等が要因となり、クランパー部５０の自重、若しくはマグネット１１がターンテーブル４に埋設されたヨーク（図示せず）に吸着することにより、クランパー部５０が下がっている場合がある。このような場合、ディスク１の引き込み時にクランパー部５０に形成された角度４５度以下のテーパー部７ａがディスク１と当接して、クランパー部５０は持ち上げられ、マグネット１１がクランパーカバー１４に吸着する。この結果、クランパー部５０の下面はパッド３の下面と略同一高さ、若しくは僅かに高く配置され、挿入されたディスク１は再生位置に確実に配置される。
【００１９】
実施例１のディスクローディング装置においては、上記のように構成されているため、ディスク１の搬送領域を有効に利用して装置の薄型化を達成することができる。また、実施例１においては、クランパーカバー１４に設けた凸部１４ａにクランパー部５０の中心孔１２ａを挿入して調芯動作を行うよう構成されているため、安定して確実なディスク１のチャッキング動作を行うことができる。
【００２０】
なお、クランパーカバー１４のガイド１４ａに嵌合するクランパー部５０の中心に形成した孔１２ａは、実施例１においてはマグネットヨーク１２に形成した例で示したが、ディスクホルダー７に形成することも可能である。また、クランパーカバー１４のガイド１４ａの形状については、クランパー部５０が所定の位置に案内される形状であれば、単純な突起と孔の凹凸の組み合わせ以外にリング状に形成された凹凸の組み合わせでもよい。
【００２１】
実施例１においては、クランパーカバー１４に吸着されたディスクホルダー７のディスク対向面（図４における下面）は、樹脂材料等の摩擦係数の低い材料で形成され、ディスク１のディスクホルダー７への接触時においてターンテーブル４の載置面からパッド３の下面までの高さと略同一高さになるように構成されている。このため、ディスク１の引き込み時及び排出時において、ディスクフィーダ１６のローラ２によるディスク１を上方に付勢する力により、ディスクホルダー７のディスク対向面はディスク１の上面と接触し、ディスク１がトップカバー１３に接触することが防止されている。
【００２２】
以上のように、実施例１によれば、クランパー部５０を遊動可能な固定型とし、トラバースユニット５を上下させる構成であるため、クランパー部５０をディスク搬送経路に配置して、ディスク搬送スペースを有効活用することができ、装置の薄型化が可能となる。また、実施例１において、クランパーケース１４に形成した凸部１４ａによりクランパー部５０の調芯ができるため、クランパー部５０の位置が安定し、ディスク１のチャッキング動作を確実に行うことができる。
【実施例２】
【００２３】
次に、本発明に係るディスクローディング装置の実施例２について、添付の図６を参照しつつ説明する。図６は本発明に係る実施例２のディスクローディング装置をディスク再生装置としてノート型パーソナルコンピュータ２１６に組み込んだ例を示す要部側面断面図である。図６において、前述の実施例１のディスクローディング装置におけるものと同じ機能、構成を有するものには同じ符号を付しその説明は省略する。
【００２４】
図６に示すように、実施例２のディスクローディング装置は、ボトムカバー２０９とトップカバー２１３で構成されたフレーム２４０の内部に、装着されたディスク１を再生する再生機構が設けられている。トップカバー２１３にはクランパーカバー２１４が取り付けられており、その内部に上下に移動可能なクランパー部５０が配設されている。フレームの内部には、クランパー部５０と対向する位置にスピンドルモータ８により駆動されるターンテーブル４が配置されている。また、フレーム２４０の内部には装着されたディスク１の情報を読み込むためのピックアップ１０と、このピックアップ１０をディスク１の直径方向に移動するためのトラバースユニット５が設けられている。このトラバースユニット５は軸６ａを中心に所定角度回動するよう構成されている。トラバースユニット５の回動により、ターンテーブル４はディスク１のディスク待機状態と挟着状態との間を移行する。
【００２５】
図６は、上記のように構成されたディスクローディング装置がノート型パーソナルコンピュータ２１６に組み込まれた例を示している。トップカバー２１３とボトムカバー２０９から構成されたディスクローディング装置において、ディスク挿入側のトップカバー２１３は、クランパーカバー２１４の上面と同じ高さに形成されている。一方、トラバースユニット５側のトップカバー２１３は、クランパーカバー２１４の下面と同じ高さに形成されている。これにより、実施例２のディスクローディング装置は、トラバースユニット５側（装置後方部）のトップカバー２１３が、ディスク挿入側（装置前方部）のトップカバー２１３に比べて寸法Ｃだけ薄く構成される。このように構成された段差により発生する内側のスペースにノート型パーソナルコンピュータ２１６のキーボード部２１８を配置することが可能となる。また、実施例２のディスクローディング装置において、ディスク挿入側のトップカバー２１３がクランパーカバー２１４の上面と同じ高さで平面状に形成されているため、この部分に平面上のパームレスト部２１７を配置することができる。
【００２６】
上記のように構成することにより、実施例２のディスクローディング装置はノート型パーソナルコンピュータ２１６のスペースを有効利用でき、ノート型パーソナルコンピュータ２１６の薄型化を実現できる。また、ボトムカバー２０９の前端部分（図６の左側下面部分）にコーナー面２０９ａを形成することにより、ノート型パーソナルコンピュータ２１６の外装部２１９のデザイン上の自由度を増すことができる。
【産業上の利用可能性】
【００２７】
本発明は、ＣＤ等のディスク状の記録媒体（以下に単にディスクという）に記録再生を行う機能を有するディスクローディング装置に適用できる。
【図面の簡単な説明】
【００２８】
【図１】本発明に係るディスクローディング装置の実施例１におけるディスク待機状態を示す要部側面図である。
【図２】本発明に係るディスクローディング装置の実施例１におけるディスク引き込み途中の状態を示す要部側面図
【図３】本発明に係るディスクローディング装置の実施例１における挟着状態を示す要部側面図
【図４】本発明に係るディスクローディング装置の実施例１におけるクランパー部のディスク引き込み途中の状態を示す要部断面図
【図５】本発明に係るディスクローディング装置の実施例１におけるクランパー部の挟着状態を示す要部断面図
【図６】本発明に係るディスクローディング装置の実施例２をディスク再生装置としてノート型パーソナルコンピュータに組み込んだ例を示す要部断面図
【図７】従来のディスクローディング装置のディスク引き込み途中の状態を示す要部側面断面図
【図８】従来のディスクローディング装置の挟着状態を示す要部側面断面図
【符号の説明】
【００２９】
１    ディスク
２    ローラ
３    パッド
４    ターンテーブル
５    トラバースユニット
６    トラバースシャーシ
６ａ  軸
７    ディスクホルダー
８    スピンドルモータ
９    ボトムカバー
１０    ピックアップ
１１    マグネット
１２    マグネットヨーク
１２ａ  中心孔
１３    トップカバー
１４    クランパーカバー
１４ａ  ガイド
５０    クランパー部
【図１】
2004158194.tif 000003
【図２】
2004158194.tif 000004
【図３】
2004158194.tif 000005
【図４】
2004158194.tif 000006
【図５】
2004158194.tif 000007
【図６】
2004158194.tif 000008
【図７】
2004158194.tif 000009
【図８】
2004158194.tif 000010